(57)【要約】      （修正有）【課題】照明ランプの交換を簡易にできる照明スタンドを提供する。【解決手段】照明スタンドは、照明ランプ５を支持するための基台部と、前記基台部の周状凹部と嵌まり合う周状底面部２を有する、上記基台部上に装着される和紙製であって、お椀状の形状を有するシェード１とを備える。さらに、前記基台部の周状凹部のその周上の１２０度ごとの３箇所にはネオジウム磁石が埋め込まれており、前記シェードの周状底面部内にはスティール製環状リングが保持されている。【選択図】図２
0003167036.tif 000002
【実用新案登録請求の範囲】
【請求項１】
照明ランプを支持するための基台部と、
前記基台部の周状凹部と嵌まり合う周状底面部を有する、上記基台部上に装着される和紙製であって、お椀状の形状を有するシェードとを備え、
前記基台部の上記周状凹部のその周上の１２０度ごとの３箇所にはネオジウム磁石が埋め込まれており、
前記シェードの前記周状底面部内にはスティール製の環状リングが保持されている、
ことを特徴とする照明スタンド。
【考案の詳細な説明】
【技術分野】
【０００１】
本考案は、照明スタンドに関する。
【背景技術】
【０００２】
従来の照明スタンドは、照明ランプをその中央に支持する基台と、該基台上の照明ランプを覆うように該基台に装着されるシェードとよりなっていたが、該基台とシェードとの取り付けは、ねじやボルトを用いて行っていた。
【考案の開示】
【考案が解決しようとする課題】
【０００３】
しかるに、このように、基台へのシェードの取り付けをねじやボルトを用いて行っていると、照明ランプを取り替える際のシェードの基台からの取り外し、取り付けにおいて、いちいち、ねじやボルトの開放、締め付けを行わなければならず、その操作が煩雑であった。
【０００４】
本考案は、上記課題を解決するためになされたもので、照明ランプの取替えをきわめて簡易に行うことのできる照明スタンドを提供することを目的としている。
【課題を解決するための手段】
【０００５】
本考案にかかる照明スタンドは、照明ランプを支持するための基台部と、前記基台部の周状凹部と嵌まり合う周状底面部を有する、上記基台部上に装着される和紙製であって、お椀状の形状を有するシェードとを備え、前記基台部の上記周状凹部のその周上の１２０度ごとの３箇所にはネオジウム磁石が埋め込まれており、前記シェードの前記周状底面部内面にはスティール製の環状リングが保持されている、ことを特徴とするものである。
【考案の効果】
【０００６】
本考案の照明スタンドは、基台へのシェードの取り付けが磁石による接着を用いて行われるので、この基台へのシェードの取り付けをねじやボルトを用いて行っていた従来品に比し、基台へのシェードの取り付けをきわめて簡易に行うことができ、照明スタンドにおける照明ランプの取替えをきわめて簡易に行うことができる。
【考案を実施するための最良の形態】
【０００７】
（実施の形態１）
以下、本考案の実施の形態について、図面を参照しながら説明する。
【０００８】
図１(a)、(b)は、本考案の実施の形態１による照明スタンド１０を示す斜視図、その一部拡大断面図であり、図２は該照明スタンド０のシェード１を外した状態の斜視図であり、また、図３(a)、(b)、(c) は該照明スタンド１０のシェード１を外した状態の平面図、正面図、及びシェード１の断面正面図である。
【０００９】
これらの図において、４は基台部４ａと、脚４ｂと、足部４ｃとよりなる基台である。前記基台部４ａはそのほぼ中央に照明ランプ５を保持するためのものであり、かつ、該基台部４a はその上面外周に、周状凹部６を有するように形成されている。さらに、この基台部４aの該周状凹部６のその周上の１２０度ごとの３箇所には、平面円形のネオジウム磁石３が埋め込まれている。
【００１０】
また、１は上記基台４の基台部４a上に照明ランプ５を収容するように装着されるシェードであり、これは和紙よりなり、かつ、照明ランプ５をその中に収容し得るようお椀状の形状を有するものである。そして、このシェード１の下方の周状底面部２は、上記基台部４a に設けられた周状凹部６と嵌まり合うようになっている。さらに、シェード１の周状底面部２の下端縁は、スティール製の環状リング７を包みこむように折りたたまれ、該周状底面部２の内面に貼着されて該周状底面部２内にスティール製の環状リング７を内蔵保持するようになっている。これにより、シェード１の周状底面部２が基台部４ａの周状凹部６上に嵌まっているときには、基台部４aの周状凹部６にてその周上の１２０度ごとの３箇所に埋め込まれたネオジウム磁石３と、シェード１の周状底面部２内のスティール製環状リング７とが磁力で引き合い、これによりシェード１は基台部４aに対し接合保持されるようになっている。
【００１１】
このような構成の本考案の照明スタンドにおいては、照明ランプ５を交換しようとする際には、単にシェード１を一方の手で基台４を他方の手で持ってシェード１を少し強い力でもって基台４から引き外すようにすれば、シェード１を基台４から外すことができ、その状態で照明ランプ５を取り替えることができる。
【００１２】
また、照明ランプ５を取り替えた後は、シェード１を基台４上にシェード１の周状底面部２が基台部４aの周状凹部６と嵌まり合うように置けば、該周状凹部６の周上の１２０°ごとの３箇所に埋め込まれた磁石３が、シェード１の周状底面部２内に保持されたスティール製環状リング７と磁力により吸引され相互にくっつきあって、シェード１はその周状底面部２が基台部４aの周状凹部６上に嵌まり合った位置にて基台４上に装着固定されることとなる。
【００１３】
このように、本考案の照明スタンドによれば、基台へのシェードの取り付けを、磁力の強力なネオジウム磁石による接着を用いて行う構成としたので、この基台へのシェードの取り付けをねじやボルトを用いて行っていた従来品に比し、基台へのシェードの取り付けをきわめて簡易に行うことができ、照明スタンドにおける照明ランプの取替えをきわめて簡易に行うことができる効果が得られる。
【産業上の利用可能性】
【００１４】
本考案にかかる照明スタンドは、照明器具として有用である。
【図面の簡単な説明】
【００１５】
【図１（ａ）】本実施の形態１による照明スタンドを示す斜視図である。
【図１（ｂ）】その一部拡大断面図である。
【図２】本実施の形態１による照明スタンドのシェード１を外した状態の斜視図である。
【図３（ａ）】本実施の形態１による照明スタンド１０のシェード１を外した状態の平面図である。
【図３（ｂ）】本実施の形態１による照明スタンド１０のシェード１を外した状態の正面図である。
【図３（ｃ）】本実施の形態１による照明スタンド１０のシェード１の断面正面図である。
【符号の説明】
【００１６】
１    シェード
２    周状底面部
３    磁石
４    基台
４a   基台部
５    照明ランプ
６    周状凹部
７    スティール製環状リング
１０    照明スタンド
【図１（ａ）】
0003167036.tif 000003
【図１（ｂ）】
0003167036.tif 000004
【図２】
0003167036.tif 000005
【図３（ａ）】
0003167036.tif 000006
【図３（ｂ）】
0003167036.tif 000007
【図３（ｃ）】
0003167036.tif 000008